(57)【要約】  【課題】デザインラベルの整理及び保管を容易かつ整然と行うことができ、枚数把握も簡単に行える、デザインラベルシートを提供する。デザインラベルの追加注文や同種内容のデザインラベルの注文を確実かつ簡単に行うことのできるデザインラベルファイリングシステムを提供する。【解決手段】このデザインラベルシートは、販売店が商品もしくは商品の包装に付す商品表示用のデザインラベルを、一側にファイルフォルダの綴込み具に挿通される通孔を有するとともに一定の大きさに形成されたラベル台紙に複数枚剥離可能に貼着して成る。ファイリングシステムは、上記構成のデザインラベルシートと、その通孔に綴込み具を挿通して多数枚のデザインラベルシートを収納するファイルフォルダと、デザインラベルを上記固有識別コードとともに種類別に多数収録したラベル情報記録媒体とを備える。【選択図】 図2
2005257810.tif 000002
【特許請求の範囲】
【請求項１】
販売店が商品もしくは商品の包装に付す商品表示用のデザインラベルを、一側にファイルフォルダの綴込み具に挿通される通孔を有するとともに一定の大きさに形成されたラベル台紙に複数枚剥離可能に貼着して成る、
デザインラベルシート。
【請求項２】
前記ラベル台紙に、ラベル台紙上のデザインラベルの固有識別コードが記されている、
請求項１記載のデザインラベルシート。
【請求項３】
ラベル台紙がB5版の大きさで、一側に２６個の通孔が形成されている、
請求項１もしくは２記載のデザインラベルシート。
【請求項４】
販売店が商品もしくは商品の包装に付す商品表示用のデザインラベルを、一側にファイルフォルダの綴込み具に挿通される通孔を有するとともに一定の大きさに形成されたラベル台紙に複数枚剥離可能に貼着し、上記ラベル台紙の所定位置にデザインラベルの固有識別コードを付記して成るデザインラベルシートと、
デザインラベルシートの通孔に綴込み具を挿通して多数枚のデザインラベルシートを収納するファイルフォルダと、
デザインラベルを上記固有識別コードに基づいて種類別に多数収録したラベル情報記録媒体と、
を備えたデザインラベルシートのファイリングシステム。
【請求項５】
前記固有識別コードは、ラベルによる表示内容の種類を示すコードと、個別デザインを示すコードとから成る、
請求項４記載のファイリングシステム。
【請求項６】
前記ラベル情報記録媒体が、印刷媒体である、
請求項４記載のファイリングシステム。
【請求項７】
前記ラベル情報記録媒体が、CD、CD-ROM、DVD、LDといった光学的記録媒体（以下、光ディスクという）である、
請求項４記載のファイリングシステム。
【請求項８】
請求項７記載のファイリングシステムにおいて、
前記光学的記録媒体は、全てのデザインラベルの内容を記録したデータと当該データのインデックスとが記録され、
インデックスに応じて該当するデザインラベルを画像表示手段に表示させる第１の検索プログラムと、デザインラベルシートに付記された固有識別コードが入力されたときに当該固有識別コードのデザインラベルと同じ種類のラベルを検索して当該検索結果を画像表示手段に表示させる第２の検索プログラムとを有する、
請求項４記載のファイリングシステム。
【発明の詳細な説明】
【技術分野】
【０００１】
本発明は、商品の産地、品質、品名、原材料、商品メッセージ、値引き額などの商品表示をデザイン化して表示したデザインラベルをまとめて収めたデザインラベルシートとこれを用いたデザインラベルファイリングシステムに関するものである。
【背景技術】
【０００２】
コンビニエンスストアやスーパーマーケットあるいはデパートなど一般消費者向けの小売店で取り扱われる各種の商品、例えば食料品などは、通常、トレイに商品を収容し、ポリエチレンフィルムシートなどでラッピングされて売場に陳列される。こうした商品には、ラッピング表面に、品名、価額、保存条件、重量、消費期限、製造あるいは加工日といった法律上義務付けられた事項を印字ある
いは印刷した商品表示ラベルが付着される。
【０００３】
しかし、この種の一般的な商品表示ラベルでは、同種商品との差別化を行いにくいばかりでなく消費者の目につきにくく消費者の購買意欲に訴えかける力も弱い。このため、商品の産地、品種、品名、原材料、用途、販売時期、数量、価格、ブランド名、値引き額、あるいは商品メッセージなどを、独特な書体や色彩あるいは形状などによってデザイン化して表示したデザインラベル（以下、単にデザ
インラベルという）が一般的な商品表示ラベルに付加されあるいは部分的にこれに代わって用いられている。例えば商品「鮭」について、魚が波間から飛び跳ねた図柄に「鮭」と「辛口」と「お茶漬け、おにぎりなどの他、あたたかい御飯といっしょにお召し上がり下さい」の文字をバランスよく配置したものや、価格表示について、「今がお買い得」、「１パック７８０円」、「２パックなら１４８０円」の文字を色彩を付加するとともに文字の大きさを変えるなどして読み易く配置したものなどがある。これらのデザインラベルは、POP（point of purchase）広告（購買時点広告）としての機能を持つ。
【０００４】
そして、デザインラベルは、一般的な商品表示ラベルと同様に、表面に表示すべき内容が印刷されたラベル本体の裏面に接着剤を塗布してあり、接着剤層を保護する剥離紙を剥して使用される。通常は１枚ごとに独立した状態でラベルメーカーなどから供給され、小売店などのユーザーはこれを必要な枚数だけ入手して使用する。ものによっては、同一内容のデザインラベルを所定枚数だけ一枚の台
紙に剥離可能に収めたものもある。
【発明の開示】
【発明が解決しようとする課題】
【０００５】
デザインラベルは、上記したように価格や数量も含めて商品のさまざまな内容を強調表示する。したがって、小売店などでは取扱い商品の種類や販売法などに応じた多種多様なデザインラベルが必要となる。
【０００６】
しかしながら、上記したようにデザインラベルは通常１枚ずつ独立しており、うっかりすると散逸したり多様なデザインラベルがいっしょになってしまったりする。また、大きさや形状もまちまちであるために、整理や保管にも一苦労する。残りの枚数も把握しにくい。
【０００７】
台紙にデザインラベルを剥離可能に貼り付けたものも、デザインラベルの種類によって台紙の大きさがまちまちで、しかもこれをまとめて整理する手段ももたないので、多種類多数枚のデザインラベルを体裁良く保管しにくい。
【０００８】
更に、従来のデザインラベルは、単体もしくは台紙上に複数枚貼着して供給されるに過ぎないことから、追加注文や同一種類で異なる内容のデザインラベルを注文する際に、特定しにくい。カタログに基づいて注文する場合にも、現品とカタログ記載のラベルの図形や文字、外形、大きさなどを比べて行わなければならないことから、面倒となる。
【０００９】
本発明の目的は、デザインラベルの整理及び保管を容易かつ整然と行うことができ、枚数把握も簡単に行える、デザインラベルシートを提供することにある。
また、本発明の別の目的は、デザインラベルの追加注文や同種内容のデザインラベルの注文を確実かつ簡単に行うことのできるデザインラベルファイリングシステムを提供することにある。
【課題を解決するための手段】
【００１０】
本発明は、上記した目的を達成するために次の構成を備える点に特徴がある。
すなわち、本発明に係るデザインラベルシートは、販売店が商品もしくは商品の包装に付す商品表示用のデザインラベルを、一側にファイルフォルダの綴込み具に挿通される通孔を有するとともに一定の大きさに形成されたラベル台紙に複数枚剥離可能に貼着して成る。
【００１１】
１枚のラベル台紙に貼着されるデザインラベルは、必ずしも同一内容のものに限らない。異なる内容のものであっても良い。
ラベル台紙には、ラベル台紙上のデザインラベルの固有識別コードを記すようにすると良い。異なる内容のデザインラベルを単一の台紙に複数枚貼着する場合には、各内容のデザインラベルごとに固有識別コードが付される。
ラベル台紙は、例えばB5版の大きさで、一側に複数、例えば２６個の通孔が形成される。ラベル台紙の大きさは、デザインラベルの種類や内容に拘わらず一定である。
【００１２】
また、本発明に係るデザインラベルのファイリングシステムは、販売店が商品もしくは商品の包装に付す商品表示用のデザインラベルを一側にファイルフォルダの綴込み具に挿通される通孔を有するとともに一定の大きさに形成されたラベル台紙に複数枚剥離可能に貼着し、上記ラベル台紙の所定位置にデザインラベルの固有識別コードを付記して成るデザインラベルシートと、デザインラベルシートの通孔に綴込み具を挿通して多数枚のデザインラベルシートを収納するファイルフォルダと、デザインラベルを上記固有識別コードとともに種類別に多数収録したラベル情報記録媒体とを備える。
【００１３】
固有識別コードは、ラベルによる表示内容の種類を示すコードと、個別デザインを示すコードとから構成するのが望ましい。
ラベル情報記録媒体は、印刷媒体であると、CD、CD-ROM、DVD、LDといった光学的記録媒体（以下、光ディスクという）であるとを問わない。
光学的記録媒体は、全てのデザインラベルの内容を記録したデータと当該データのインデックスとが記録され、インデックスに応じて該当するデザインラベルを画像表示手段に表示させる第１の検索プログラムと、デザインラベルシートに付記された固有識別コードが入力されたときに当該固有識別コードのデザインラベルと同じ種類のラベルを検索して当該検索結果を画像表示手段に表示させる第２の検索プログラムとを有するようにすると良い。
【発明の効果】
【００１４】
本発明に係るデザインラベルシートは、複数枚のデザインラベルをその種類や内容如何に拘わらず単一の大きさの台紙に貼着し、この台紙の一側にファイルフォルダの綴込み具に挿通される通孔を形成したので、台紙を所定のファイルに綴じ込むことにより、デザインラベルをきれいにかつ整然と収納できる。
台紙上のラベルシートは、種類ごとに並べられているので、使用した残りのデザインラベルの数を簡単に把握できる。
【００１５】
本発明に係るファイルシステムは、上記デザインラベルシートの台紙に貼着されるデザインラベルの固有識別コードを付記してあり、また、デザインラベルを上記固有識別コードとともに種類別に多数収録したラベル情報記録媒体を備えるので、デザインラベルシートからデザインラベルの追加注文を容易に行うことができるばかりでなく、固有識別コードに基づいてラベル情報記録媒体を参照する
ことにより、同種内容のデザインラベルを容易に見つけだすことができ、関連ラベルの注文を簡単かつ確実に行うことができる。
【発明を実施するための最良の形態】
【００１６】
以下、本発明を図示した実施例に基づいて詳説する。
図１は、本発明の一実施例に係るデザインラベルシート１の概略図である。
図中符合２は、Ａ４サイズのラベル台紙で、一側にファイルフォルダの２６個の綴込み用リング７に挿通される通孔３が形成されている。ラベル台紙２は、デザインラベル４の種類あるいは内容に拘わらず、全て同じ大きさに統一される。
【００１７】
ラベル台紙２の一面には、同一のデザインラベル４が多数枚剥離可能に貼着されている。デザインラベル４は、本実施例では値引き用ラベルから成り、例えば「表示価格より１５０円引きになります」の表示を「１５０円引き」の部分が目立つように黄色を背景に赤色で大きく印刷してある。
【００１８】
ラベル台紙２の下欄には、上記デザインラベル４の固有識別コード５が印刷もしくは付着されている。固有識別コード５は、ラベルによる表示内容の種類を示すコード５１と、個別デザインを示すコード５２とから構成される。種類を示すコード５１は、表示すべき内容にしたがって例えば大分類、中分類、小分類などに分けられる。大分類には食品であれば魚類、野菜、肉類などの種類に応じた固有のコードが、また季節商品や価格に関連する内容を表示するものであればそれ固有のコードがそれぞれ付される。大分類は、デザインラベル４が表示する商品の内容あるいは販売時期、価額設定用など、最も大きく分類される事項に応じて適宜設定される。
【００１９】
中分類は大分類中で更に内容を分けて表示するコード部分であり、例えば肉類であれば鶏肉、牛肉、豚肉、羊肉などに分けられ、野菜類であれば葉物、根物などに分けられ、季節表示であれば、春、夏、秋、冬あるいは記念日や祝日などに分けられ、価格関連であれば値引き、複数まとめた場合の割引きなどに分けられる。
これらの中分類のし方も別段制限されるものではなく、適宜設定され、固有のコードが付される。
【００２０】
小分類は、中分類された商品内容を更に詳しく分類して表示するコード部分である。加工方法、生産あるいは原産地、値引率、など商品表示のより具体的な内容によって分類される。
デザインラベル４の表示内容の種類を分ける分類の仕方は、大中小の３分類に限定されるものではなく、商品によっては３以下であっても良く、あるいは３以上に更に細分類化されたものであっても良い。
【００２１】
固有識別コード５のうち、個別デザイン５２を示すコードは、デザインラベル４の大きさやデザイン内容に応じて、固有のものが付される。
固有識別コード５は、光学的に読取り可能なバーコードや二次元コードを用いても良いが、電話注文などに対応するため、単純に数字や記号を含む符合の組み合わせによって構成されるものが付記される。
なお、１枚のラベル台紙２には、通常、同一のデザインラベルが多数枚貼着されるが、異なる種類のデザインラベルラベル台紙上の紙面領域を分断して収めるようにしても良い。この場合、各種類のデザインラベルに応じて固有識別コードが所定域に記される。
【００２２】
図２は、上記構成のデザインラベルシート１を綴じ込み収納するファイル６を示すもので、市販の通常のファイルを用いることができる。２６個のリングを有する一般的なリングファイルが適当である。
デザインラベルシート１は、ユーザーである小売店などがラベルメーカーより入手した多種類のものを適宜、仕切りシートを介在させるなどして任意に区分けしてファイル６に収納する。
使用にあたっては、対象となるデザインラベルシート１をファイル６のリング７から外してあるいは外すことなくラベル台紙２より剥し、商品の包装に一枚ずつ付着する。
【００２３】
本発明に係るシステムでは、デザインラベル４をその固有識別コード５とともに種類別に多数収録したラベル情報ガイドブックが併用される。
ラベル情報ガイドブックには、ラベルメーカーが提供する全てのデザインラベル４が固有識別コード５に基づいて整理されて収録されている。目次にも固有識別コード５が付記される。
本文内容は、デザインラベルを固有識別コードの大分類から中分類、小分類あるいは細分類へと移行するように区分けして記載してあり、各デザインラベルには、固有識別コード５が記されている。
ラベル情報ガイドブックの各頁には外端に当該頁に収録されたデザインラベルの固有識別コードの種類コードまたは大分類あるいは大分類及び中分類に相当するコード部分を記載すると良い。
【００２４】
デザインラベルシート１を入手した小売店は、ラベル台紙２に記された固有識別コード５の分類コードと一致する分類コードの頁を開くことにより、同種商品で異なる態様のデザインラベルを見出すことができる。
【００２５】
ラベル情報記録媒体は、CD、CD-ROM、DVD、LDといった光ディスクによって構成することもできる。
この種の記録媒体の場合、全てのデザインラベルの内容を記録したデータと当該データのインデックスとが記録される。インデックスには、固有識別コードが用いられる。そして、この媒体には、インデックスに応じて該当するデザインラベルを画像表示手段に表示させる第１の検索プログラムと、デザインラベルシートに付記された固有識別コードが入力されたときに当該固有識別コードのデザインラベルと同じ種類のラベルを検索して当該検索結果を画像表示手段に表示させる第２の検索プログラムとが設けられる。
【００２６】
したがって、ユーザーは、デザインラベルシート上の固有識別コードを入力することにより、同一種類で内容の異なるデザインのデザインラベルシートを画面上で認識できる。
【００２７】
上記した光ディスクによる記録媒体には、インターネットを介してラベルメーカーのホームページにアクセス可能な通信プログラムを付加し（図４参照）、これに基づいてユーザーからの発注信号を受信したときにラベルメーカーの管理サーバに搭載した受注プログラムを起動させるようにすることもできる。
更に、光ディスクによる記録媒体には、同図に見られるようにデザインラベルの簡易な設計指針プログラムを付加することもできる。この場合、設計指針プログラムにユーザーが所定事項を入力して送信することにより、管理サーバ内の設計プログラムは、受信した情報に基づいてユーザーの希望するデザインラベルを設計する。設計されたデザインラベルは、ユーザーに返信される。
記録媒体に光ディスクを用い、デザインラベルシートと組み合わせて使用することにより、デザインラベルの検索のみならず、インターネットなどの通信手段を介しての迅速な情報交換が可能となる。
【図面の簡単な説明】
【００２８】
【図１】本発明の一実施例に係るデザインラベルシートの概略平面図。
【図２】図１のシートをファイルに収納した状態を示す概略斜視図。
【図３】個別識別コードの内容を示す説明図。
【図４】光ディスクによる記録媒体の概略構成を示すブロック図。
【符号の説明】
【００２９】
１      デザインラベルシート
２      台紙
３      通孔
４      デザインラベル
５      固有識別コード
６      ファイル
【図１】
2005257810.tif 000003
【図２】
2005257810.tif 000004
【図３】
2005257810.tif 000005
【図４】
2005257810.tif 000006